(57)【特許請求の範囲】
【請求項１】
印面を有する円柱形状の印鑑本体と、前記印鑑本体の上端面を支える中軸と、前記中軸の上端部に挿嵌される後軸と、前記後軸の周縁には円環状に延設され、下面が前記中軸の上端に当接するストッパー部と、前記印鑑本体の外周に複数の層を形成し、各層が前記印鑑本体の印面周囲に円環状の印面を夫々有する外層部と、前記外層部の層の数に対応して設けられ、前記中軸を軸として回転自在に構成された複数のダイヤルと、最も上方に位置するダイヤルの上部に、前記中軸に沿って上下動自在に設けられた後キャップと、前記後キャップに、下端が当接するように設けられたノックスプリングと、前記ノックスプリングの上端を支えると共に、前記後軸に沿って上下に摺動自在に設けられたノック受け台と、前記後キャップに嵌合することによって、前記ノック受け台の上方への移動が制限される後カバーと、を備え、
前記複数のダイヤルを夫々回転させることにより、各ダイヤルに対応する前記外層部の層の印面が、前記印鑑本体の印面の周りを回転し、該外層部の印面が前記印鑑本体の印面に対し静止した状態で外層部と印鑑本体の印面が一つの印相を形成し、
前記ノック受け台を押し下げ、前記ノックスプリングを圧縮することにより、前記後キャップによって、該外層部の印面、前記印鑑本体の印面を均一な加圧力により捺印面に対し押し付けることを特徴とする印鑑。
【請求項２】
前記各ダイヤルの上面に等間隔で形成された複数の凹部と、
前記各ダイヤルの上面の夫々に設けられた板ばねと、
前記板ばねに設けられ、前記凹部に嵌りまた前記凹部から外れる一つの突起部と、を備えることを特徴とする請求項１に記載された印鑑。
【請求項３】
前記複数のダイヤルには夫々複数の数字が記され、
前記ダイヤルに連動して回転する前記外層部の層の印面には、前記複数の数字の夫々に対応した複数の異なる絵柄が夫々印相として形成されていることを特徴とする請求項１に記載された印鑑。
【請求項４】
前記複数のダイヤルに記された数字を並べ、所定の複数桁の数字となるよう位置を合わせるための目印が記されていることを特徴とする請求項３に記載された印鑑。
【請求項５】
前記目印は、印影の上下を判別するための、あたりの機能を兼ねていることを特徴とする請求項４に記載された印鑑。
【発明の詳細な説明】
【技術分野】
【０００１】
本発明は、銀行印や実印としての好適に用いられる印鑑に関し、特に盗用等の不正使用による危険性を低減するための構造を有する印鑑に関する。
【背景技術】
【０００２】
例えば銀行印や実印として使用される印鑑は、その所有者にとっての財産に係わる重要なものである。しかしながら、従来から用いられている印鑑は、その使用者が誰であろうと捺印された印影に対して真偽の判断がなされる。したがって、もし、その印鑑が盗難された場合には、不正に使用されるおそれがあり、例えば横領等により所有者は多大な損害を被ることになる。
【０００３】
このような問題に対し、特許文献１に開示されるような安全印鑑が提案されている。
この特許文献１に開示された安全印鑑について、図８に基づいて簡単に説明する。図８は、特許文献１に開示された安全印鑑の斜視図である。
図示する印鑑５０は、印面を有する印鑑本体５１と、印鑑本体５１を一端部に収容する印鑑保護筒５２と、印鑑保護筒５２の他端部に設けられた回転ナット５３とを備えている。前記印鑑保護筒５２の先端面、即ち、印鑑本体５１の印面５１ａの周囲には、複数の（例えば８通り）の符丁図案５２ａが形成され、それらの符丁図案は印鑑本体５１の印面と共に一つの印相となるよう構成されている。
【０００４】
また、印鑑保護筒５２に対し、回転ナット５３を回転させることにより印鑑本体５１も同時に回転するようになされている。即ち、印鑑本体５１の印面に対し、その周囲の符丁図案５２ａが回転し、その回転角度により複数の異なる印相が形成できるよう構成されている。
したがって、例えば、銀行印として登録しているこの印鑑５０と、銀行通帳とが盗難されたとしても、普段は、銀行印として登録していない印相にしておくことにより、登録された印相と異なるため横領の危険性を低減することができる。
【特許文献１】実用新案登録第３０７８２３３号公報
【発明の開示】
【発明が解決しようとする課題】
【０００５】
しかしながら特許文献１に開示された印鑑５０にあっては、模様が固定された複数の符丁図案に対し、印鑑本体５１の印面が回転する構成であるため、変更可能な印相の種類は数種類から多くても数十種類である。図８に示した形態にあっては、８角形であるため、変更可能な印相は８種類である。
このため、印鑑５０と銀行通帳とが盗難された場合、盗難者は銀行通帳に示される印影を見ながら、それと合致するように印鑑５０の印相を容易に形成することができ、結局は預金が横領されるおそれが高い。
【０００６】
また、前記した印鑑５０にあっては、所有者が登録した元来の印相に合わせる際、符丁と印鑑本体５１の印面との位置関係だけで視覚的に記憶する必要があり、所有者自身も正しい印相を記憶するのが困難であるという課題があった。もし、所有者自身が正しい印相を記憶しているとしても、例えば配偶者に印鑑５０を使用してもらう場合等において、口頭で正しい印相を伝えるのは困難であり、安全性が得られる一方で、不便性が生じるという課題があった。
【０００７】
本発明は、前記したような事情の下になされたものであり、盗難されても不正使用による危険性を大幅に低減することができ、同時に、所有者やその使用が許諾された人にとって、容易に正しい印相を形成することのできる印鑑を提供することを目的とする。
【課題を解決するための手段】
【０００８】
前記した課題を解決するために、本発明に係る印鑑は、印面を有する円柱形状の印鑑本体と、前記印鑑本体の上端面を支える中軸と、前記中軸の上端部に挿嵌される後軸と、前記後軸の周縁には円環状に延設され、下面が前記中軸の上端に当接するストッパー部と、前記印鑑本体の外周に複数の層を形成し、各層が前記印鑑本体の印面周囲に円環状の印面を夫々有する外層部と、前記外層部の層の数に対応して設けられ、前記中軸を軸として回転自在に構成された複数のダイヤルと、最も上方に位置するダイヤルの上部に、前記中軸に沿って上下動自在に設けられた後キャップと、前記後キャップに、下端が当接するように設けられたノックスプリングと、前記ノックスプリングの上端を支えると共に、前記後軸に沿って上下に摺動自在に設けられたノック受け台と、前記後キャップに嵌合することによって、前記ノック受け台の上方への移動が制限される後カバーと、を備え、前記複数のダイヤルを夫々回転させることにより、各ダイヤルに対応する前記外層部の層の印面が、前記印鑑本体の印面の周りを回転し、該外層部の印面が前記印鑑本体の印面に対し静止した状態で外層部と印鑑本体の印面が一つの印相を形成し、前記ノック受け台を押し下げ、前記ノックスプリングを圧縮することにより、前記後キャップによって、該外層部の印面、前記印鑑本体の印面を均一な加圧力により捺印面に対し押し付けることに特徴を有する。
このように外層部の複数の層が夫々印面を有し、各層を印鑑本体を軸に個別に回転させることができるため、各層の印面に夫々異なる絵柄を印相として形成すれば、印面全体として多様な印相を形成することができる。したがって、印面全体で所定の印相を実印や銀行印として登録し、印鑑使用時だけ、正しい印相となるようにして用いれば、その印鑑が盗難されても、盗用等の不正使用による危険性を大幅に低減することができる。
特に、ノック受け台を押し下げることにより、後キャップによって、該外層部の印面、前記印鑑本体の印面を均一な加圧力で捺印面に押し付けることができる。
【０００９】
また、前記各ダイヤルの上面に等間隔で形成された複数の凹部と、前記各ダイヤルの上面の夫々に設けられた板ばねと、前記板ばねに設けられ、前記凹部に嵌り、また前記凹部から外れる一つの突起部とを備えることが望ましい。
また、前記複数のダイヤルには夫々複数の数字が記され、前記ダイヤルに連動して回転する前記外層部の層の印面には、前記複数の数字の夫々に対応した複数の異なる絵柄が夫々印相として形成されていることが望ましい。
【００１０】
さらには、前記複数のダイヤルに記された数字を並べ、所定の複数桁の数字となるよう位置を合わせるための目印が記されていることが好ましい。
このように構成することにより、複数のダイヤルを夫々回し、目印に合わせ所定の複数桁の数字を形成することにより、その複数桁の数字のみに対応する印相を形成することができる。したがって、印鑑の所有者は、目印に揃える複数桁の数字を暗証番号として記憶すればよいので、印鑑の使用時には、容易に正しい印相を形成することができる。
また、前記目印は、印影の上下を判別するための、あたりの機能を兼ねていることが望ましい。
このように、ダイヤル位置を合わせるための目印を「あたり」として用いることにより、印影の上下を容易に判別することができ、正しい向きで捺印することができる。
【発明の効果】
【００１１】
本発明によれば、盗難されても不正使用による危険性を大幅に低減することができ、同時に、所有者やその使用が許諾された人にとって、容易に正しい印相を形成することのできる印鑑を得ることができる。
【発明を実施するための最良の形態】
【００１２】
以下、本発明の実施の形態を図面に基づき説明する。図１及び図２は本発明の印鑑の全体構成を示す図であり、図１はその正面図、図２は図１の縦断面図である。
この印鑑１００は、図２に示すように、印面１１ａが下端面に形成された円柱形状の印鑑本体１１と、印鑑本体１１の上端面を支える中軸１２とを備えている。中軸１２は中空構造であって、その上端部が開放されており、そこに後軸１３が挿嵌されている。尚、後軸１３の周縁には円環状に延設されたストッパー部１３ａが形成されており、このストッパー部１３ａの下面が中軸１２の上端に当接するようになされている。
【００１３】
また、印鑑本体１１の外周面を覆うように略円筒状の印面外層Ａ１が設けられ、この印面外層Ａ１の外周面を覆うように略円筒状の印面外層Ｂ１が設けられ、さらに、この印面外層Ｂ１の外周面を覆うように略円筒状の印面外層Ｃ１が設けられている。即ち、印鑑本体１１の外周に複数の層（外層部）が形成されている。尚、印面外層Ａ１、Ｂ１、Ｃ１の下端部は、夫々印鑑本体１１の印面１１ａの周囲に円環状に形成されると共に、印鑑本体１１の印面１１ａと同一面に揃えられ、夫々印面Ａ４、Ｂ４、Ｃ４として印面１１ａと共に印影を残すことができるようになされている。
【００１４】
さらに前記印面外層Ａ１の上部は、中軸１２の周囲に設けられた円環状のダイヤルＡ２に固定接続されている。また、前記印面外層Ｂ１の上部はダイヤルＡ２の下段に設けられたダイヤルＢ２に固定接続され、さらに前記印面外層Ｃ１の上部はダイヤルＢ２の下段に設けられたダイヤルＣ２に固定接続されている。
前記ダイヤルＡ２、Ｂ２、Ｃ２は夫々、中軸１２を軸に回転自在に設けられており、それらダイヤルの回転に連動して、対応する印面外層Ａ１、Ｂ１、Ｃ１が印鑑本体１１を軸に回転するように構成されている。このため、印鑑１００としての印相は、ダイヤルＡ２、Ｂ２、Ｃ２を回転させた後、印面外層Ａ１、Ｂ１、Ｃ１の印面Ａ４、Ｂ４、Ｃ４を、印鑑本体１１の印面１１ａに対し静止させた状態で形成される。
【００１５】
また、ダイヤルＡ２の上部であって中軸１２の周りには、円環状に形成された円環板部１４ａを有し前記円環板部１４ａが中軸１２に沿って上下動自在になされた後キャップ１４が設けられている。
また、この後キャップ１４は、前記円環板部１４ａが後軸１３に形成されたストッパー部１３ａに係止することにより中軸１２から外れないようになされている。尚、この後キャップ１４には、円環板部１４ａの周縁から垂直上方に向け、円筒部１４ｂが延設されている。
【００１６】
また、後キャップ１４の円環板部１４ａの上面にはノックスプリング１５の下端が当接するよう設けられ、このノックスプリング１５の上端は、後軸１３に沿って上下に摺動自在に設けられたノック受け台１６によって支えられている。詳しくは、このノック受け台１６は、後軸１３に対し摺動する部分である第一円筒部１６ａと、ノックスプリング１５と当接する円環板部１６ｂと、円環板部１６ｂの垂直上方に延設され、捺印の際、指腹の当接部となるノックカバー１７が嵌合する第二円筒部１６ｃとで形成されている。
また、ノック受け台１６は、後カバー１８が後キャップ１４の円筒部１４ｂに強固に嵌合することにより、その上方への移動が制限され、ノックスプリング１５を適度に押さえつけるように構成されている。
【００１７】
このように構成された印鑑１００を捺印する際には、先ず、後カバー１８に記された矢印マーク１８ａ（目印）を、印影の上下を判別するための「あたり」として用いる。即ち、この形態においては、矢印マーク１８ａは印影の上部を示す目印であり、その位置を確認して印鑑１００の捺印方向を合わせる。
そして、後カバー１８を複数の指で保持し、ノックカバー１７を指の腹で押し下げることにより、ノックスプリング１５が圧縮される。これによりスプリングの反発力が生じ、後キャップ１４が下方に均一に加圧する。その結果、印鑑本体１１及び印面外層Ａ１、Ｂ１、Ｃ１による全ての印面が均一な加圧力により捺印面に対し押し付けられる。
【００１８】
続いて、ダイヤルＡ２、Ｂ２、Ｃ２の構造について更に詳しく説明する。図１にその外観が示されるダイヤルＡ２、Ｂ２、Ｃ２は、その周面に夫々１〜８の数字が記されており、印鑑の使用者は、各ダイヤルを回転させて、前記の矢印マーク１８ａに数字を合わせ、所定の３桁の数字を形成することができる。
【００１９】
また、各ダイヤルＡ２、Ｂ２、Ｃ２の回転機構については、矢印マーク１８ａへの位置合わせ精度の向上、及び操作感覚向上のために、図２に示すように各ダイヤルの上面に、板ばねＡ３、Ｂ３、Ｃ３が夫々設けられている。
ここで、この板ばねの機能について説明するため、図３（ａ）に、図２に示す矢視ａ−ａの断面図を示し、図３（ｂ）に、図２に示す矢視ｂ−ｂの断面図を示す。即ち、図３（ａ）に示されるのは板ばねＣ３を下方から見た平面図であり、図３（ｂ）に示されるのはダイヤルＣ２を上方から見た平面図である。
【００２０】
図３（ａ）に示す板ばねＣ３には、一つの突起部１９が形成され、この突起部１９は矢印マーク１８ａの位置に合わせて固定されている。一方、回転する側のダイヤルＣ２には、図３（ｂ）に示すように、８個の凹部２０が４５度の等間隔で形成されている。即ち、これら８個の凹部２０はダイヤル表面に記された数字１〜８に夫々対応して設けられている。
この構造により、ダイヤルＣ２を回転させると、ダイヤルＣ２の凹部２０に板ばねＣ３の突起部１９が軽く嵌り、適度なクリック感が生じるように構成されている。そして、ダイヤルに記された数字に対応して凹部２０が形成されているため、矢印マーク１８ａにダイヤルの数字を正確に合わせることができるようになされている。
尚、図３（ａ）、（ｂ）では板ばねＣ３とダイヤルＣ２との関係のみを示したが、板ばねＡ３とダイヤルＡ２との関係、板ばねＢ３とダイヤルＢ２との関係も同様の構造となされている。
【００２１】
続いて、この印鑑１００において形成される印相について説明する。図４は、印鑑１００の印面を示す図であり、図５は、図４の印面による印相を詳細に示した図である。
図４に示すように、印鑑１００の印面１００ａにおいて、印鑑本体１１の印面１１ａには、例えば名字等の文字（この例では特許という文字）が刻印される。印鑑本体１１の印面１１ａの周囲には印面外層Ａ１、Ｂ１、Ｃ１が形成され、前記したように、夫々の外層は印鑑本体１１を軸に回転自在に構成されている。また、印面外層Ａ１、Ｂ１、Ｃ１の回転は、前記したようにダイヤルＡ２、Ｂ２、Ｃ２の回転に夫々連動しているため、各ダイヤルを回転させることによってなされる。
【００２２】
また、図４に示すように、印面１００ａにおいて、印面外層Ａ１、Ｂ１、Ｃ１による印面Ａ４、Ｂ４、Ｃ４はダイヤルＡ２、Ｂ２、Ｃ２に記された数字に対応して８つのエリア１〜８に分けられている。ここで図５に示すように、８つのエリア１〜８の夫々には、印面外層ごとにダイヤルの数字に対応した絵柄が印相として記されており、夫々の数字に対応する絵柄は互いに異なるように形成されている。また、図示するように、印面外層Ａ１、Ｂ１、Ｃ１の間では、各数字に対応する絵柄は同じになされている。尚、図６には、この図５に示す印相による印影を示している。
【００２３】
このような構成において、ダイヤルＡ２、Ｂ２、Ｃ２を夫々回転させると、対応する印面外層Ａ１、Ｂ１、Ｃ１が連動して回転し、その印面Ａ４、Ｂ４、Ｃ４に形成された絵柄が印鑑本体１１の印面１１ａに対して回転する。したがって、後カバー１８に記された矢印マーク１８ａに合わせて所定の数字を揃え、３桁の数字を形成することにより、例えば図７（ａ）〜図７（ｃ）に示すように、揃えた数字によって異なる印相の印鑑１００を作成することができる。尚、図７（ａ）は、図５の印相に基づいて形成された、ダイヤル数字が１１２の場合の印影であり、図７（ｂ）はダイヤル数字が２５２の場合の印影であり、図７（ｃ）はダイヤル数字が８４３の場合の印影である。
【００２４】
以上のように、本実施の形態によれば、ダイヤルＡ２、Ｂ２、Ｃ２を夫々回し、矢印マーク８ａに合わせ所定の３桁の数字を形成することにより、その３桁の数字のみに対応する印面１００ａの印相を形成することができる。また、３桁の数字の場合、その組み合わせにより、合計で５１２通りもの印相を形成できるため、数字の異なる印相同士の識別は、印相や印影を直接見ただけでは困難にすることができる。
したがって、この印鑑１００の所有者は、印鑑１００の使用時のみに所定の３桁の数字を揃え、それに対応した印相を形成するようにすれば、印鑑１００の安全性を非常に高くすることができ、例え盗難されても盗用等の不正使用による危険性を大幅に低減することができる。
また、印鑑１００の所有者（又は正規の使用者）は、矢印マーク８ａに揃える３桁の数字を暗証番号として記憶すればよいので、印鑑１００の使用時には、容易に正しい印相を形成することができる。
【００２５】
尚、前記実施の形態においては、ダイヤル及び印面外層が３段（３層）に構成され、ダイヤルの数字及び各外層の印面の柄が８通りの場合を例に示したが、それに限らず、ダイヤルの段数、印面外層の層数、及び各層における印面の柄の数等を設定してもよい。
【産業上の利用可能性】
【００２６】
本発明は、盗難されても盗用を防ぐことのできるセキュリティ性の高い印鑑を提供できるため、銀行印や実印等に用いられる印鑑に適用される。
【図面の簡単な説明】
【００２７】
【図１】図１は本発明に係る印鑑の全体構成を示す正面図である。
【図２】図２は図１の印鑑の縦断面図である。
【図３】図３は図２に示す矢視ａ−ａの断面図及び矢視ｂ−ｂの断面図である。
【図４】図４は図１の印鑑の印面を示す図である。
【図５】図５は図４の印面による印相を詳細に示した図である。
【図６】図６は図５に示す印相による印影を示す図である。
【図７】図７は夫々揃えられた数字が異なる印相が形成された印鑑の印影である。
【図８】図８は従来の安全機能を有する印鑑の斜視図である。
【符号の説明】
【００２８】
１１      印鑑本体
１２      中軸
１３      後軸
１４      後キャップ
１５      ノックスプリング
１６      ノック受け台
１７      ノックカバー
１００    印鑑
１００    印面
Ａ１      印面外層
Ａ２      ダイヤル
Ａ３      板ばね
Ａ４      印面
Ｂ１      印面外層
Ｂ２      ダイヤル
Ｂ３      板ばね
Ｂ４      印面
Ｃ１      印面外層
Ｃ２      ダイヤル
Ｃ３      板ばね
Ｃ４      印面
【図１】
0004811908.tif 000002
【図２】
0004811908.tif 000003
【図３】
0004811908.tif 000004
【図４】
0004811908.tif 000005
【図５】
0004811908.tif 000006
【図６】
0004811908.tif 000007
【図７】
0004811908.tif 000008
【図８】
0004811908.tif 000009